(57)【特許請求の範囲】
【請求項１】
パチンコ球をタンクで貯留し、賞球の払い出し動作または貸し球の払い出し動作にともなって、パチンコ機背面側に形成されたパチンコ球通路を通って、パチンコ球を発射球供給皿へと払い出すパチンコ機において、
前記パチンコ球通路に、賞球払い出し用専用通路及び貸し球払い出し用専用通路を備え、
前記貸し球払い出し用専用通路を閉鎖する閉鎖部材を着脱可能に取り付けるための保持部材を設け、
前記タンクの下方に、上面が開口されパチンコ機の左右方向に延在する溝状の前記賞球払い出し用専用通路、及び上面が開口されパチンコ機の左右方向に延在する溝状の前記貸し球払い出し用専用通路を並列に備えたタンクレールを設け、
前記賞球払い出し用専用通路の下流側に、制御信号による駆動の下に所定個数のパチンコ球を賞球として前記発射球供給皿へと払い出す賞球用制御部を接続し、
前記貸し球払い出し用専用通路の下流側に、制御信号による駆動の下に所定個数のパチンコ球を貸し球として前記発射球供給皿へと払い出す貸し出し用制御部を接続し、
前記閉鎖部材を前記保持部材から取り外した状態では、前記賞球払い出し用専用通路及び前記貸し球払い出し用専用通路のそれぞれの上流側には、前記タンクからパチンコ球が落下供給され、
前記閉鎖部材は、前記保持部材への取り付け状態にて前記貸し球払い出し用専用通路の上流側を上方で覆うことで前記タンクから前記貸し球払い出し用専用通路へ落下供給されるパチンコ球を受けて前記賞球払い出し用専用通路側へ自重流下させる上面平板部を備え、
前記賞球払い出し用専用通路及び前記貸し球払い出し用専用通路のうち少なくとも一方にパチンコ球が無い場合にパチンコ球の不存在を検出する検出手段を備え、
前記検出手段は、
前記賞球払い出し用専用通路に対応し、パチンコ球の自重によって押し下げられ且つパチンコ球の自重が作用していない状態では上昇した状態となる賞球払い出し用板部と、
前記貸し球払い出し用専用通路に対応し、パチンコ球の自重によって押し下げられ且つパチンコ球の自重が作用していない状態では上昇した状態となる貸し球払い出し用板部と、
前記賞球払い出し用板部に対応し、該賞球払い出し用板部が押し下げられた状態では検出部が上昇し且つ該賞球払い出し用板部が上昇した状態では該検出部が下降する賞球払い出し用アームと、
前記貸し球払い出し用板部に対応し、該貸し球払い出し用板部が押し下げられた状態では検出部が上昇し且つ該貸し球払い出し用板部が上昇した状態では該検出部が下降する貸し球払い出し用アームと、
前記賞球払い出し用アーム及び前記貸し球払い出し用アームの下方に配置された作動片を備え、該賞球払い出し用アーム及び該貸し球払い出し用アームの両方の前記検出部が上昇した状態では該検出部による前記作動片の押圧が解除されてオフ状態となるとともに、該賞球払い出し用アーム及び該貸し球払い出し用アームのうち少なくとも一方の前記検出部が下降した状態では前記作動片が該検出部によって押圧されてオン状態となるリミットスイッチと、
を備え、
前記閉鎖部材には、該閉鎖部材を前記保持部材に取り付けた状態で、前記貸し球払い出し用板部を押下して前記貸し球払い出し用アームの前記検出部を上昇させることで、該検出部による前記リミットスイッチの前記作動片の押圧を解除する非作動部が設けられていることを特徴とするパチンコ機。
【発明の詳細な説明】
【技術分野】
【０００１】
本発明は、賞球の払い出しの他に、貸し球の払い出しをするため、賞球払い出し用専用通路及び貸し球払い出し用専用通路を備えるパチンコ機に関するものである。
【背景技術】
【０００２】
近年、多数のパチンコホール（遊技店）において、パチンコ球を貸し出すためのプリペイドカードを取り扱ったプリペードカードシステムが導入されている。このシステムにおいては、カード会社が発行するカードを、遊技者がカード販売機等で購入して、パチンコホールの球貸機に差し込んで操作すると、球貸機の制御装置は、パチンコ機の賞球払い出し口からパチンコ球を貸し出すように構成されている。
具体的な機構として、球貸機に対しかかる操作を行った場合、球貸機の制御装置が、インターフェース基板を介して、パチンコ機の裏面側の賞球制御基板に対し、貸球指令信号を出力するので、その信号を入力した賞球制御基板は、賞球の払い出しの場合と同様に、賞球払い出し装置にパチンコ球の払い出しを命令して、貸し玉として、賞球払い出し口に払い出すことができる。
【発明の開示】
【発明が解決しようとする課題】
【０００３】
しかし、賞球の払い出し方法の場合、パチンコ機の上段に配設された賞球タンクが、パチンコ球補給装置から落下するパチンコ球を受けて一旦貯留し、パチンコ機背面側に形成されたパチンコ球流路を通って賞球払い出し口から、賞球を払い出すように構成されているので、賞球タンク内から賞球払い出し口までのパチンコ球流路は長く、パチンコ球がそのパチンコ球流路で詰まるおそれがある。
そして、パチンコ球流路にパチンコ球が詰まると、賞球及び貸球を双方ともに払い出すことができなくなり、故障発生に関しての危惧を遊技者に与えることにもなる。
そのためパチンコ機背面側に形成されたパチンコ球通路に、賞球払い出し用専用通路及び貸し球払い出し用専用通路を備え、これら賞球払い出し用専用通路及び貸し球払い出し用専用通路をそれぞれ通って、パチンコ球を払い出すようにするのが望ましい。
しかし、遊技店によっては、常に貸し球の払い出しを行うとは限らず、貸し球の払い出しを行わないように設定する場合がある。その場合、貸し球払い出し用専用通路にパチンコ球が流れ込むと、誤動作の原因になったりする。
【０００４】
本発明は、上述した課題を解決するためになされたものであり、貸球の払い出しを行わないように設定する場合に、貸球払い出し用専用通路に、パチンコ球の流入を防止するための閉鎖部材を保持部材を介して装着して、貸球払い出し用専用通路にパチンコ球が流れ込まないようにするとともに、貸し球払い出し用専用通路のパチンコ球の有無を検出する検出手段を非作動にすることにより、パチンコ球が貸し球払い出し用専用通路に流れ込むことによる誤動作の発生を防止して、保守管理を容易にできるパチンコ機を提供することを目的とする。
【課題を解決するための手段】
【０００５】
この目的を達成するために成された請求項１に係るパチンコ機は、パチンコ球をタンクで貯留し、賞球の払い出し動作または貸し球の払い出し動作にともなって、パチンコ機背面側に形成されたパチンコ球通路を通って、パチンコ球を発射球供給皿へと払い出すパチンコ機において、前記パチンコ球通路に、賞球払い出し用専用通路及び貸し球払い出し用専用通路を備え、前記貸し球払い出し用専用通路を閉鎖する閉鎖部材を着脱可能に取り付けるための保持部材を設け、前記タンクの下方に、上面が開口されパチンコ機の左右方向に延在する溝状の前記賞球払い出し用専用通路、及び上面が開口されパチンコ機の左右方向に延在する溝状の前記貸し球払い出し用専用通路を並列に備えたタンクレールを設け、前記賞球払い出し用専用通路の下流側に、制御信号による駆動の下に所定個数のパチンコ球を賞球として前記発射球供給皿へと払い出す賞球用制御部を接続し、前記貸し球払い出し用専用通路の下流側に、制御信号による駆動の下に所定個数のパチンコ球を貸し球として前記発射球供給皿へと払い出す貸し出し用制御部を接続し、前記閉鎖部材を前記保持部材から取り外した状態では、前記賞球払い出し用専用通路及び前記貸し球払い出し用専用通路のそれぞれの上流側には、前記タンクからパチンコ球が落下供給され、前記閉鎖部材は、前記保持部材への取り付け状態にて前記貸し球払い出し用専用通路の上流側を上方で覆うことで前記タンクから前記貸し球払い出し用専用通路へ落下供給されるパチンコ球を受けて前記賞球払い出し用専用通路側へ自重流下させる上面平板部を備え、前記賞球払い出し用専用通路及び前記貸し球払い出し用専用通路のうち少なくとも一方にパチンコ球が無い場合にパチンコ球の不存在を検出する検出手段を備え、前記検出手段は、前記賞球払い出し用専用通路に対応し、パチンコ球の自重によって押し下げられ且つパチンコ球の自重が作用していない状態では上昇した状態となる賞球払い出し用板部と、前記貸し球払い出し用専用通路に対応し、パチンコ球の自重によって押し下げられ且つパチンコ球の自重が作用していない状態では上昇した状態となる貸し球払い出し用板部と、前記賞球払い出し用板部に対応し、該賞球払い出し用板部が押し下げられた状態では検出部が上昇し且つ該賞球払い出し用板部が上昇した状態では該検出部が下降する賞球払い出し用アームと、前記貸し球払い出し用板部に対応し、該貸し球払い出し用板部が押し下げられた状態では検出部が上昇し且つ該貸し球払い出し用板部が上昇した状態では該検出部が下降する貸し球払い出し用アームと、前記賞球払い出し用アーム及び前記貸し球払い出し用アームの下方に配置された作動片を備え、該賞球払い出し用アーム及び該貸し球払い出し用アームの両方の前記検出部が上昇した状態では該検出部による前記作動片の押圧が解除されてオフ状態となるとともに、該賞球払い出し用アーム及び該貸し球払い出し用アームのうち少なくとも一方の前記検出部が下降した状態では前記作動片が該検出部によって押圧されてオン状態となるリミットスイッチと、を備え、前記閉鎖部材には、該閉鎖部材を前記保持部材に取り付けた状態で、前記貸し球払い出し用板部を押下して前記貸し球払い出し用アームの前記検出部を上昇させることで、該検出部による前記リミットスイッチの前記作動片の押圧を解除する非作動部が設けられていることを特徴とする。
【０００６】
このような特徴を有する請求項１に記載のパチンコ機においては、賞球の払い出し動作の際に、パチンコ球を賞球払い出し用専用通路を通して払い出し、または貸球の払い出し動作の際に、パチンコ球を貸球払い出し用専用通路を通して払い出すので、仮に賞球の払い出し中または貸球の払い出し中のいずれかでパチンコ球が詰まっても、詰まっていない貸球または賞球のいずれかの払い出しができる。そして、貸球の払い出しを行わないパチンコ機として使用する場合に、貸球払い出し用専用通路に、パチンコ球の流入を防止するための閉鎖部材を保持部材を介して装着して、貸球払い出し用専用通路にパチンコ球が流れ込まないようにできる。それにより、パチンコ球が貸し球払い出し用専用通路に流れ込むことによる誤動作の発生を防止して、保守管理を容易にできる。
【０００７】
また、請求項１に係るパチンコ機によれば、貸球の払い出しを行わないパチンコ機として使用する際、貸球払い出し用専用通路に、パチンコ球の流入を防止するための保持部材に閉鎖部材を取り付けた場合、上面平板部が閉鎖部材上に載ったパチンコ球を賞球払い出し用専用通路に案内する。それにより、閉鎖部材の貸し球払い出し用専用通路の上方に落ちたパチンコ球が、賞球払い出し用専用通路に案内され、賞球として効率的に使用される。
【０００８】
また、請求項１に係るパチンコ機によれば、タンクレールは、パチンコ球を貯留するタンクの下方に配置され、賞球払い出し用専用通路及び貸し球払い出し用専用通路を備えるので、パチンコ球流路の上流側に位置するタンクレール内の賞球払い出し用専用通路及び貸し球払い出し用専用通路を通って、賞球または貸し球を払い出すことができる。
【０００９】
仮に、パチンコ球流路の下流側に、賞球払い出し用専用通路及び貸し球払い出し用専用通路を備えた場合、パチンコ球が賞球払い出し用専用通路及び貸し球払い出し用専用通路に到達するまでにパチンコ球相互の干渉が多くなって、パチンコ球が詰まりやすく、貸し球払い出し用専用通路及び賞球払い出し用専用通路のいずれも、パチンコ球を払い出すことができない可能性が高くなる。それに対して、タンクの下方に配置されるタンクレールが、賞球払い出し用専用通路及び貸し球払い出し用専用通路を備える場合、タンクレール内の賞球及び貸し球相互の干渉が少ないので、パチンコ球流路の上流側から賞球及び貸し球が詰まりにくく、貸し球払い出し用専用通路及び賞球払い出し用専用通路の双方で、パチンコ球を円滑に払い出すことができる。
また、賞球払い出し用専用通路及び貸し球払い出し用専用通路の製造容易を考慮して、タンクレールが賞球払い出し用専用通路及び貸し球払い出し用専用通路を一体的に形成されるのが望ましい。
【００１０】
また、請求項１に係るパチンコ機によれば、検出手段が賞球払い出し用専用通路のパチンコ球の不存在を検出し、または貸し球払い出し用専用通路のパチンコ球の不存在を検出した場合、その旨を遊技店の管理者に報知したり、または、例えば遊技盤の表示ランプ等で表示できるので、賞球の払い出し中または貸し球の払い出し中のいずれかでパチンコ球の不足等が生じても、対処することができる。
【００１１】
また、請求項１に係るパチンコ機によれば、貸球の払い出しを行わないパチンコ機として使用する場合に、貸球払い出し用専用通路に、パチンコ球の流入を防止するための閉鎖部材を保持部材を介して装着して、貸球払い出し用専用通路にパチンコ球が流れ込まないようにするとともに、貸し球払い出し用専用通路のパチンコ球の有無を検出する検出手段を非作動にする。それにより、パチンコ球が貸し球払い出し用専用通路に流れ込むことによる誤動作の発生を防止して、保守管理を容易にできる。
【００１２】
また、請求項１に係るパチンコ機によれば、貸し球払い出し用専用通路上にパチンコ球があっても、賞球払い出し用専用通路上にパチンコ球が無い場合、パチンコ球の不存在として検出して、その旨を遊技店の管理者に報知したり、または、例えば遊技盤の表示ランプ等で表示できるので、賞球の払い出し中または貸し球の払い出し中のいずれかでパチンコ球の不足等が生じても、適切に対処することができる。
【００１３】
また、請求項１に係るパチンコ機によれば、賞球払い出し用板部上のパチンコ球の自重によって、賞球払い出し用板部が可動し、この賞球払い出し用板部の可動によって賞球払い出し用アームが可動し、この賞球払い出し用アームの可動によってパチンコ球検出スイッチが作動する。一方、貸し球払い出し用板部上のパチンコ球の自重によって、貸し球払い出し用板部が可動し、この貸し球払い出し用板部の可動によって貸し球払い出し用アームが可動し、この貸し球払い出し用アームの可動によってパチンコ球検出スイッチが作動する。それにより、貸し球払い出し用板部上にパチンコ球があっても、賞球払い出し用板部上にパチンコ球が無い場合、または、賞球払い出し用板部上にパチンコ球があっても、貸し球払い出し用板部上にパチンコ球が無い場合、パチンコ球の不存在として検出して、その旨を遊技店の管理者に報知したり、または、例えば遊技盤の表示ランプ等で表示できるので、賞球の払い出し中または貸し球の払い出し中のいずれかでパチンコ球の不足等が生じても、適切に対処することができる。
【発明の効果】
【００１４】
以上説明した通り、請求項１に係るパチンコ機によれば、パチンコ球をタンクで貯留し、賞球の払い出し動作または貸し球の払い出し動作にともなって、パチンコ機背面側に形成されたパチンコ球通路を通って、パチンコ球を払い出すパチンコ機において、前記パチンコ球通路に、賞球払い出し用専用通路及び貸し球払い出し用専用通路を備え、前記貸し球払い出し用専用通路を閉鎖する閉鎖部材を取り付けるための保持部材を設けたので、貸球の払い出しを行わないパチンコ機として使用する場合に、貸球払い出し用専用通路に、パチンコ球の流入を防止するための閉鎖部材を保持部材を介して装着して、貸球払い出し用専用通路にパチンコ球が流れ込まないようにできる。それにより、パチンコ球が貸し球払い出し用専用通路に流れ込むことによる誤動作の発生を防止して、保守管理を容易にできる。
【００１５】
また、請求項１に係るパチンコ機によれば、閉鎖部材は、保持部材に閉鎖部材を取り付けた際に、閉鎖部材上に載ったパチンコ球を賞球払い出し用専用通路に案内するための上面平板部を備えるので、貸球の払い出しを行わないパチンコ機として使用する際、貸球払い出し用専用通路の保持部材に、パチンコ球の流入を防止するため、閉鎖部材を取り付けると、上面平板部が閉鎖部材上に載ったパチンコ球を賞球払い出し用専用通路に案内する。それにより、閉鎖部材の貸し球払い出し用専用通路の上方に落ちたパチンコ球が、賞球払い出し用専用通路に案内され、賞球として効率的に使用される。
【００１６】
更に、請求項１に係るパチンコ機によれば、パチンコ球を貯留するタンクの下方に、タンクレールを設け、このタンクレールは、賞球払い出し用専用通路及び貸し球払い出し用専用通路を備えるので、パチンコ球流路の上流側に位置するタンクレール内の賞球払い出し用専用通路及び貸し球払い出し用専用通路を通って、賞球または貸し球を払い出すことができる。
【００１７】
また、請求項１に係るパチンコ機によれば、検出手段が賞球払い出し用専用通路のパチンコ球の不存在を検出し、または貸し球払い出し用専用通路のパチンコ球の不存在を検出した場合、その旨を遊技店の管理者に報知したり、または、例えば遊技盤の表示ランプ等で表示できるので、賞球の払い出し中または貸し球の払い出し中のいずれかでパチンコ球の不足等が生じても、対処することができる。
【００１８】
また、貸球の払い出しを行わないパチンコ機として使用する場合に、貸球払い出し用専用通路に、パチンコ球の流入を防止するための閉鎖部材を保持部材を介して装着して、貸球払い出し用専用通路にパチンコ球が流れ込まないようにするとともに、貸し球払い出し用専用通路のパチンコ球の有無を検出する検出手段を非作動にする。それにより、パチンコ球が貸し球払い出し用専用通路に流れ込むことによる誤動作の発生を防止して、保守管理を容易にできる。
【００１９】
また、貸し球払い出し用専用通路上にパチンコ球があっても、賞球払い出し用専用通路上にパチンコ球が無い場合、パチンコ球の不存在として検出して、その旨を遊技店の管理者に報知したり、または、例えば遊技盤の表示ランプ等で表示できるので、賞球の払い出し中または貸し球の払い出し中のいずれかでパチンコ球の不足等が生じても、適切に対処することができる。
【００２０】
また、賞球払い出し用板部上のパチンコ球の自重によって、賞球払い出し用板部が可動し、この賞球払い出し用板部の可動によって賞球払い出し用アームが可動し、この賞球払い出し用アームの可動によってパチンコ球検出スイッチが作動する。一方、貸し球払い出し用板部上のパチンコ球の自重によって、貸し球払い出し用板部が可動し、この貸し球払い出し用板部の可動によって貸し球払い出し用アームが可動し、この貸し球払い出し用アームの可動によってパチンコ球検出スイッチが作動する。それにより、貸し球払い出し用板部上にパチンコ球があっても、賞球払い出し用板部上にパチンコ球が無い場合、または、賞球払い出し用板部上にパチンコ球があっても、貸し球払い出し用板部上にパチンコ球が無い場合、パチンコ球の不存在として検出して、その旨を遊技店の管理者に報知したり、または、例えば遊技盤の表示ランプ等で表示できるので、賞球の払い出し中または貸し球の払い出し中のいずれかでパチンコ球の不足等が生じても、適切に対処することができる。
【発明を実施するための最良の形態】
【００２１】
以下、本発明に係るパチンコ機について具体化した実施の形態を図面を参照して詳細に説明する。
先ず、実施形態に係るカード式パチンコ機の全体構成について図１に基づいて説明する。図１は実施形態に係るカード式パチンコ機全体を示した正面図である。このカード式パチンコ機とは、プリペイドカード等により球貸し等を行うことができるパチンコ機をいう。
カード式パチンコ機は、いわゆるＣＲ機と称され、図１に示すように、パチンコ機１とカード式球貸機２１とによって構成されている。これらパチンコ機１とカード式球貸機２１は、左右に並んで設置されるが、この場合、カード式球貸機２１は、２台のパチンコ機１（左側のパチンコ機は図示せず）の間に位置して、右側のパチンコ機１の左側面側に位置する。
【００２２】
このパチンコ機１は、所定量のパチンコ球を賞球として払い出す、いわゆる第一種パチンコ機である。また、このパチンコ機１では、後述する入賞口、図柄表示装置、電動役物及び、ゲート等の各種構造物が、遊技盤２上に配設されている。
その遊技盤２の下側には、賞球を受ける上部受け皿３が配設され、この上部受け皿３の下側には、スピーカ３ａを内蔵したプレート４が配設されている。また、そのプレート４の下側には、賞球を受ける大きめの下部受け皿５が配設される。また、下部受け皿５の右方側には、ハンドル６に連結された発射装置が配設されており、上部受け皿３の遊技球がその発射装置（図示せず）へ送られるように構成されている。
【００２３】
一方、遊技盤２の前面側には、遊技中のエラー等を表示するエラー表示ランプ８が配設されている他に、「当たり」を表示する当たり表示ランプ７が配設されている。また、遊技盤２の前側は、ステンレス等の金属製枠を有するガラス扉９により被覆されており、ガラス扉９はその側方（左）側に設けられたヒンジ部材等を介して開閉自在に支持されている。
そして、ヒンジ部材等の反対側（右）側に設けられた鍵穴９ｂに、遊技店の管理者等が鍵を挿入して回転操作して、ロックを解除することにより、ガラス扉９を前方側へ開くことができる。尚、ガラス扉９が前方側へ開放されたことを検出するため、遊技盤２上のガラス扉９が開く側に、検出スイッチ９ａが設けられているので、ガラス扉９が前方側へ開放された場合、この検出スイッチ９ａが検出信号を主基板（図示せず）に出力して、エラー表示ランプ８が点灯する。また、遊技盤２のガラス扉９の外側上方には、左右の賞球及び球切れ表示ランプ１０、１０が設けられている。
【００２４】
ここで、カード式球貸機２１について説明すると、このカード式球貸機２１の上下方向におけるほぼ中央には、カード挿入口２２が配設されている。そのカード挿入口２２の上方側には、カード利用可能表示ランプ２３、連結台方向表示２５、及びカード挿入中表示ランプ２６が下方に向かって順に配設されている。
そして、カード利用可能表示ランプ２３が点灯しているときに、遊技者はカード挿入口２２にカードを挿入することができる。また、連結台方向表示２５は、左右のパチンコ機１のいずれかを示すことにより、左右どちらのパチンコ機１が、球貸し処理をできるかを表示する。更に、カード挿入中表示ランプ２６は、カードがカード挿入口２２に挿入されている間点灯している。
【００２５】
また、パチンコ機１の上部受け皿３の中央付近には、球貸し操作部１１が配設されており、この球貸し操作部１１には、度数表示１２、貸出スイッチ１３、貸出スイッチＬＥＤ１４、及び返却スイッチ１５が配設されている。その球貸し操作部１１の度数表示１２は、カード残高を表示している。また、貸出スイッチＬＥＤ１４が点灯しているときに、貸出スイッチ１３の操作が可能であり、この貸出スイッチ１３の操作によって、遊技球の貸し出しが行われるが、貸し出される貸し球は、後述する態様で、上部受け皿３に払い出される。
そして、遊技者が、そのパチンコ機１のパチンコ遊技を止めるときは、返却スイッチ１５を操作することによって、そのカード挿入口２２内に挿入されているカードの排出が行われる。
【００２６】
ここで、パチンコ機１における遊技盤２上の遊技領域の構成について説明する。この遊技領域は、所定厚さの板材からなる遊技盤２上に、入賞口などの各構造物が配設され、各構造物を囲むように環状のレール１８が遊技盤２上に立設されている。このレール１８は、発射されたパチンコ球を遊技領域内に案内する案内路を構成し、遊技盤２上の上方側部には、レール１８に沿って打ち込まれるパチンコ球の進行を制限するための段差部１６が設けられている。そして、その段差部１６には、軸支された返しゴム（図示せず）が配設されている。
【００２７】
また、遊技領域のほぼ中央には、図柄表示装置を構成するＬＣＤ表示器１９が遊技盤２の裏面側から前面側へ取り付けられている。このＬＣＤ表示器１９は、変動図柄を表示するべく、左側、中央、右側に３列の変動図柄を表示する液晶パネルである。そして、ＬＣＤ表示器１９の左側、中央、右側にそれぞれ表示された図柄が変動しながら順番に停止し、全てが停止した状態が全体として所定の図柄（例えば「７７７」等）を構成する場合に、遊技者にとって有利な遊技状態である「いわゆる大当たり」となる。
また、ＬＣＤ表示器１９の上方または左右には、入賞口２０ａ、２０ｂが配設されており、これら入賞口２０ａ、２０ｂには、遊技盤２の裏面に設けられた賞球樋が連通されている。そして、この入賞口２０ａ、２０ｂに入ったパチンコ玉を検出する入賞口スイッチ（図示せず）が、遊技盤２の裏側に設けられており、入賞口２０ａ、２０ｂに入賞したことを入賞口スイッチ（図示せず）が検出すると、所定の個数の賞球が上部受け皿３に排出されるように構成されている。また、ＬＣＤ表示器１９内の上方部には、変動図柄の始動回数を遊技者に知らせるための、変動図柄始動記憶表示器２７が設けられている。
【００２８】
また、ＬＣＤ表示器１９の下方には、第１種始動口２８が配設されており、この第１種始動口２８には、遊技盤２の裏面に設けられた賞球樋が連通されている。そして、この第１種始動口２８に入ったパチンコ玉を検出する始動口スイッチ（図示せず）が遊技盤２の裏側に設けられており、この第１種始動口２８に入賞して始動口スイッチが入賞したことを検出すると、ＬＣＤ表示器１９の変動図柄であるルーレットが回転して、所定の個数の賞球が上部受け皿３に排出されるように構成されている。
また、ＬＣＤ表示器１９の左右上側には、各電飾付き風車２９が設けられており、これら電飾付き風車２９は、ＬＣＤ表示器１９の変動図柄が変動する際に点滅する。
【００２９】
また、第１種始動口２８の左右下側には、各ゲート３０が配設されている。このゲート３０には、パチンコ球の通過を検出する検出スイッチ（図示せず）が備えられ、この検出スイッチがパチンコ球の通過を検出することにより、ＬＣＤ表示器１９と、入賞口２０ａとの間にある普通図柄表示器２０が変動後所定の数字等を表示するように構成されている。普通図柄表示器２０が停止した状態が所定の図柄（例えば「７」等）を構成する場合に、遊技者にとって有利な遊技状態である「通常当たり」となる。
また、各ゲート３０の左右下側には、電飾ランプが施された下入賞口２０ｃが配設されており、これら下入賞口２０ｃには、遊技盤２の裏面に設けられた賞球樋が連通されている。そして、各下入賞口２０ｃへの入賞を検出する下入賞口スイッチ（図示せず）が、遊技盤２の裏側に設けられ、下入賞口２０ｃに入賞したことを下入賞口スイッチが検出すると、所定の個数の賞球が上部受け皿３に排出されるように構成されている。
【００３０】
そして、第１種始動口２８の下方には、大入賞口３０ａを有する特別電動役物３０ｂが配設されており、この大入賞口３０ａは、長い横幅を有しており、開閉扉を備えている。そして、ＬＣＤ表示器１９の画面の、左側、中央、右側にそれぞれ表示された図柄が変動した後に、所定状態を達成した場合（例えば、７７７のように揃った場合等）に開閉扉が開かれるように構成されている。
【００３１】
この開閉扉には、遊技盤２の裏面に設けられた賞球樋が連通されており、大入賞口３０ａ内には、開閉扉が開かれたときに入賞したパチンコ球の個数をカウントするための大入賞口カウントスイッチ（図示せず）が設けられている。そして、大入賞口カウントスイッチがカウントしたパチンコ球の個数に対応する賞球が上部受け皿３に排出されるように構成されている。この場合、大入賞口３０ａの開閉扉は、２５秒間経過又は１０個のパチンコ球が入賞するまで大入賞口カウントスイッチにより検出されるまで開放される。
また、大入賞口３０ａの内部には、大入賞口３０ａの開放を継続するための「いわゆるＶゾーン」が仕切り形成されており、当該Ｖゾーンへの入賞検出用のＶスイッチが設けられている。
【００３２】
次に、図２において、パチンコ機１の背面側の構成について説明する。図２は実施形態に係るパチンコ機１全体を示した背面図である。
パチンコ機１は、図２に示すように、木製の外枠３１に対して木製の内枠３２がヒンジ部材等を介して開閉自在に取り付けられている。また、この内枠３２のほぼ中央部には、遊技盤２を着脱自在に支持するための機構盤（図示せず）が取り付けられている。そして、この機構盤には、合成樹脂製のメインセット盤３４が取り付けられている。
【００３３】
このメインセット盤３４の上方角部には、中継基板Ｋ１が設けられており、この中継基板Ｋ１は、パチンコ機１と図示しないホールコンピュータとをつないで、球切れ信号等の制御信号を伝達する機能を果たす。
また、パチンコ機１の裏側最上段には、上方に開口したタンク３５がメインセット盤３４上に固定されている。そのタンク３５の直上には、パチンコ球の補給装置３６が配設されており、この補給装置３６は、垂直にパチンコ球をタンク３５内に落下させるため吐出部３６Ａを設けており、この吐出部３６Ａを介して、補給されるパチンコ球を、タンク３５内で貯留することができる。
【００３４】
また、メインセット盤３４の最上側のタンク３５の底面外側の一端（底面の右端部外側）には、図２に示すように、賞球タンクスイッチＱ１が後述の態様で設けられている。この賞球タンクスイッチＱ１は、タンク３５内のパチンコ球の有無を検出し、その検出信号を、主基板に出力することにより、左側の賞球及び球切れ表示ランプ１０（図１参照）が点灯する。
そのタンク３５の下方には、パチンコ球を送るための、パチンコ機１裏面側の左右方向に延びるタンクレール３７が設けられており、そのタンク３５内の傾斜した底面に設けられた連通孔（図示せず）を介して、パチンコ球をタンクレール３７に落下させる。
【００３５】
また、タンクレール３７の下方のメインセット盤３４の中央には、遊技盤２の裏面を覆うセンタカバーＫ３が装着されている。このセンタカバーＫ３内には、効果音発生用回路を設けた音声基板、ランプ照明回路を設けたランプ基板及び図柄変動表示回路を設けた表示基板が固着されている。更に、センタカバーＫ３の下側には、下側カバーＫ４に覆われた主基板が固着されている。この主基板には、パチンコ機１のメイン動作を制御するための制御回路が設けられている。
このセンタカバーＫ３内の音声基板、ランプ基板、表示基板及び下側カバーＫ４内の主基板は、盤面機構部を構成しており、パチンコ機１の遊技盤２上の構造物等の相違により、パチンコ機１の機種毎に、構造物用のランプ及びＣＲＴ等の配置、種類、大きさ等が異なり、これら部品の共通化は困難である。それに対して、次述する賞球基板Ｋ５等の、内枠３２等に取り付けられる補助部品、電気部品、付属部品等を備える枠機構部は、一般にパチンコ機１の種類が替わっても、賞球の払い出し等については同様の動作が行われるので、そのための部品は共通化しやすく、量産によるコストダウンを図ることができる。
【００３６】
そして、下側カバーＫ４の下方側には、メインセット盤３４の裏面側に近接するように、賞球基板Ｋ５が取り付けられており、この賞球基板Ｋ５は、メインセット盤３４の裏面から離れて位置する主基板の一部と重なり合っている。この賞球基板Ｋ５には、後述の賞球用制御部３９及び貸し球用制御部４０等を駆動制御させるための制御回路が設けられている。
また、賞球基板Ｋ５の側方（右側）下方には、電源基板Ｋ６が設けられており、その電源基板Ｋ６は、ＡＣ（交流）２４Ｖ（ボルト）を変圧するとともに整流する直流３２Ｖ（ボルト）用の電源を設ける他に、ＡＣ（交流）２４Ｖ（ボルト）を変圧するとともに整流する直流１２Ｖ（ボルト）用の電源、更に、ＡＣ（交流）２４Ｖを変圧するとともに整流する直流５Ｖ（ボルト）用の電源を設ける。
【００３７】
また、賞球基板Ｋ５の左下側には、パチンコ球発射用の発射装置等を備える発射基板Ｋ９が設けられている。また、電源基板Ｋ６の上方側には、インターフェース基板Ｋ７が取り付けられており、このインターフェース基板Ｋ７のコネクタと、カード式球貸機２１の背面のコネクタとが、信号伝達用の接続コードＫ８によって相互に接続される。そして、カード式球貸機２１の制御装置が、接続コードＫ８及びインターフェース基板Ｋ７を介して、賞球基板Ｋ５に対し、貸し球指令信号を出力するので、その信号を入力した賞球基板Ｋ５は、賞球の払い出しの場合と同様に、貸し出し用制御部４０（後述）にパチンコ球の払い出しを命令する。
【００３８】
次に、タンク３５の下流側のパチンコ球流路について説明する。図３はそのパチンコ機１の賞球の払い出しに係るパチンコ球流路の要部を拡大した背面図であり、賞球払い出し用専用通路内のパチンコ球の流れを示す。図４はそのパチンコ機１の貸し球の払い出しに係るパチンコ球流路の要部を示した背面図であり、貸し球払い出し用専用通路内のパチンコ球の流れを示す。図５はそのパチンコ機１の背面のパチンコ球流路の上部を拡大して示す背面図であり、図６はそのパチンコ機１のタンクレール３７の要部を拡大して示した平面図である。図７（ａ）は賞球払い出し案内部３８Ａ及び貸し球払い出し案内部３８Ｂを示す分解斜視図であり、図７（ｂ）は賞球払い出し案内部３８Ａに貸し球払い出し案内部３８Ｂを組み付けた状態を示す斜視図である。図８は上方側のパチンコ球流路の要部を拡大して示す側面図である。
【００３９】
そのタンク３５からパチンコ球を受けるタンクレール３７は、図５及び図６に示すように、図３に示す賞球払い出し用専用通路３７Ａ及び図４に示す貸し球払い出し用専用通路３７Ｂを備えている。この場合、タンクレール３７は、例えば合成樹脂材等からなり、賞球払い出し用専用通路３７Ａ及び貸し球払い出し用専用通路３７Ｂを一体的に形成している。このようなタンクレール３７を製造する場合、賞球払い出し用専用通路３７Ａ及び貸し球払い出し用専用通路３７Ｂを一体的に形成でき、賞球払い出し用専用通路３７Ａ及び貸し球払い出し用専用通路３７Ｂの製造が容易になる。
【００４０】
そして、賞球払い出し用専用通路３７Ａは、図６、図８及び図１７に示すように、２条分の通路３７Ａ１、３７Ａ２を設けるのに対して、貸し球払い出し用専用通路３７Ｂは１条分の通路を設ける。このようにタンクレール３７が、賞球払い出し用専用通路３７Ａ１、３７Ａ２及び貸し球払い出し用専用通路３７Ｂを備える場合、タンクレール３７内で賞球及び貸し球相互の干渉が少なくなって、パチンコ球は詰まりにくい。
この場合、賞球払い出し用専用通路３７Ａをパチンコ機１の背面側に近接して設けるとともに、貸し球払い出し用専用通路３７Ｂを背面側から遠方位置、即ち賞球払い出し用専用通路３７Ａに対し、パチンコ機１の遊技者から遊技盤２に向かう方向の奥側に設ける。これは、貸し球の払い出しを行わないパチンコ機１として使用する場合に、貸し球払い出し用専用通路３７Ｂに、パチンコ球の通過を防止するための閉鎖部材９０（図２３参照）を装着して、貸し球払い出し用専用通路３７Ｂを使用しないようにする作業が、貸し球払い出し用専用通路３７Ｂがパチンコ機１背面側に近設している場合に比べて容易になるからである。
【００４１】
そのタンクレール３７は、図５に示すように、その底面が下流側に向かってなだらかな下り勾配をなしている。また、タンクレール３７の下流側には、図３に示すように、パチンコ球を下流側に向かってなだらかに流れる状態から下流側へ急峻に案内するための、賞球払い出し案内部３８Ａが配設されている。この賞球払い出し案内部３８Ａは、図８に示すように、タンクレール３７の２条の賞球払い出し用専用通路３７Ａ１、３７Ａ２とそれぞれ連接するべく、２条の賞球払い出し用専用通路３８Ａ１、３８Ａ２を備えている。その賞球払い出し案内部３８Ａの上側左端部では、その賞球払い出し用専用通路３８Ａ１とタンクレール３７内の賞球払い出し通路３７Ａ１とを、更にその賞球払い出し用専用通路３８Ａ２とタンクレール３７内の賞球払い出し通路３７Ａ２とを取り外し可能に接続する。
また、そのタンクレール３７の貸し球払い出し用専用通路３７Ｂの下流側には、図４及び図７に示すように、貸し球払い出し用案内部３８Ｂ２が配設され、この貸し球払い出し用案内部３８Ｂ２は、タンクレール３７の貸し球払い出し用専用通路３７Ｂと接続するための、貸し球払い出し用専用通路を備える。また、賞球払い出し案内部３８Ａの下方側端部では、所定個数のパチンコ球を払い出すため、払い出し装置としての賞球用制御部３９が連結される。
【００４２】
その賞球用制御部３９内には、賞球払い出し案内部３８Ａの賞球払い出し用専用通路３８Ａ１、３８Ａ２とそれぞれ接続するべく、パチンコ球搬送用の賞球通路３９Ａ１、３９Ａ２が形成されており（図１８参照）、この賞球通路３９Ａ１、３９Ａ２は、パチンコ球を更に下流側へ送る。また、その賞球用制御部３９の下流側には、図３及び図８に示すように、上部受け皿３側にパチンコ球を導く下方側賞球通路４１が設けられており、この下方側賞球通路４１は、賞球用制御部３９から排出されたパチンコ球を上部受け皿３の球受け部４３に案内する。
そして、タンクレール３７の下流側の貸し球払い出し案内部３８Ｂは、メインセット盤３４に対してネジＸ２（図５参照）により着脱可能に取り付けられている。また、この貸し球払い出し案内部３８Ｂが、賞球払い出し案内部３８Ａに対して、パチンコ機１の背面側の離れた位置から、ネジＸ１（図５参照）により着脱可能に取り付けられている。この貸し球払い出し案内部３８Ｂの内部には、蛇行しながら所定の流路を確保するための貸し球払い出し用専用通路が形成されており、この貸し球払い出し用専用通路を介して、パチンコ球を更に下流側へ１列で送る。
【００４３】
このように貸し球払い出し案内部３８Ｂを、賞球払い出し案内部３８Ａに対して着脱可能に取り付ける理由は、パチンコ機１にカード式球貸し機２１を使用しないように設定した場合に、貸し球払い出し案内部３８Ｂを取り外して、パチンコ機１の背面側の空間を確保するとともに、貸し球払い出し案内部３８Ｂを使用しないことによるコストの低減化を図るためである。そして、貸し球払い出し案内部３８Ｂを取り外して、パチンコ機１の背面側の空間を確保した場合、必要に応じて、別の部品等を配置しても良い。
【００４４】
また、貸し球払い出し案内部３８Ｂ２の下方には、所定個数のパチンコ球を払い出すため、払い出し装置としての貸し出し用制御部４０が設けられている。その貸し出し用制御部４０内の内部構成については、後から詳述するが、貸し出し用制御部４０の下流側には、図４及び図８に示すように、上部受け皿３側にパチンコ球を導く下方側貸し球通路４２が設けられ、この下方側貸し球通路４２は、下流側で下方側賞球通路４１と合流して、貸し出し用制御部４０から排出されたパチンコ球を上部受皿３側の球受け部４３に案内する。
上記の構成の場合、タンクレール３７の賞球払い出し用専用通路３７Ａ、賞球払い出し案内部３８Ａ内の賞球払い出し用専用通路、及び、下方側賞球通路４１が、賞球払い出し用専用通路を構成する。そして、賞球払い出し装置は、賞球払い出し用専用通路３７Ａ、賞球払い出し案内部３８Ａ及び下方側賞球通路４１よりなる賞球払い出し用専用通路と、賞球用制御部３９とからなる。
【００４５】
一方、タンクレール３７の貸し球払い出し用専用通路３７Ｂ、貸し球払い出し案内部３８Ｂ内の貸し球払い出し用専用通路及び下方側貸し球通路４２が、賞球払い出し用専用通路を構成する。そして、貸し球払い出し装置は、前記貸し球払い出し用専用通路３７Ｂ、貸し球払い出し案内部３８Ｂ及び下方側貸し球通路４２よりなる賞球払い出し用専用通路と、貸し出し用制御部４０とからなる。
このように賞球払い出し装置と、前記貸し球払い出し装置とを別々に設けているので、貸し球払い出し動作と、賞球払い出し動作とを分離でき、仮に、パチンコ球が賞球払い出し用専用通路３７Ａ等で詰まっても、貸し球払い出し用専用通路３７Ｂ等で詰まらない場合、貸し球の払い出しをすることができる。
【００４６】
特に、賞球払い出し用専用通路３７Ａ等及び貸し球払い出し用専用通路３７Ｂ等を通って、賞球または貸し球としてパチンコ球を払い出す際に、賞球または貸し球が相互に干渉することがないので、仮に賞球の払い出し中または貸し球の払い出し中のいずれかでパチンコ球が詰まっても、詰まっていない賞球払い出し用専用通路３７Ａ等または貸し球払い出し用専用通路３７Ｂ等を通って、賞球または貸し球のいずれかの払い出しが可能となる。この場合、下方側貸し球通路４２は、下方側賞球通路４１と、賞球を受ける上部受け皿３の手前位置で合流するので、仮に、パチンコ球が下方側貸し球通路４２の手前側の賞球払い出し用専用通路３７Ａ等で詰まっても、貸し球払い出し用専用通路３７Ｂ等で詰まらない場合、貸し球の払い出しをすることができる。また、貸し出し用制御部４０は、パチンコ球流路に関し、賞球用制御部３９より下方側に配置されているので、貸し球払い出し用専用通路３７Ｂ等の貸し出し用制御部４０までのパチンコ球流路を長く設定することができ、パチンコ球をそのパチンコ球流路に多く貯えることができる。それにより、貸し出し用制御部４０が動作した場合、貸し球払い出し用専用通路３７Ｂ等に貯えられた多数のパチンコ球を、パチンコ遊技者に対して、不足することなく円滑に供給することができる。
【００４７】
また、その球受け部４３の下方側には、図３及び図４に示すように、パチンコ球の下部受け皿５と連通する下皿排出路４４が形成されており、この下皿排出路４４は球受け部４３から溢れたパチンコ球を下部受け皿５に案内する。また、下皿排出路４４は、下部受け皿５内の賞球のオーバーフローを検出するための、下皿オーバーフロースイッチ（図示せず）を内蔵する。また、下皿排出路４４の側方には、入賞球を排出する入賞球排出通路４５が設けられており、その入賞球排出通路４５は、アウト口から導かれたアウト球と一緒になって、パチンコホール（遊技店）のパチンコ球受けに案内する。
【００４８】
次に、タンクレール３７の構成について詳述する。図９はそのパチンコ機１のタンクレール３７の要部を拡大して示した正面図である。図１０はパチンコ機１のタンクレール３７を、図６のＡ−Ａ線で切断して示した拡大断面図であり、球均し５０を記入して、その位置関係を明示する。図１１はパチンコ機１のタンクレール３７を、図６のＢ−Ｂ線で切断して示した拡大断面図である。図１２はパチンコ機１のタンクレール３７を、図９のＣ−Ｃ線で切断して示した拡大断面図である。図１３はパチンコ機１のタンクレール３７を、図９のＤ−Ｄ線で切断して示した拡大断面図である。
そのタンクレール３７の各通路３７Ａ１、３７Ａ２、３７Ｂは、パチンコ球を１列に整列して流出するように、図６及び図１２に示す案内溝Ｌ１がそれぞれ形成されており、これら案内溝Ｌ１は、パチンコ球を案内して円滑に流すことができる。
【００４９】
そして、タンクレール３７の賞球払い出し用専用通路３７Ａとしての２条分の通路３７Ａ１、３７Ａ２、及び、貸し球払い出し用専用通路３７Ｂが、図６に明示するように平行に延設されており、これら賞球払い出し用専用通路３７Ａと貸し球払い出し用専用通路３７Ｂとを完全に分離するための壁部Ｈ１を、図６及び図１１に明示する開口部Ｐ１を含めて、球均し５０の上流側から下流側に向かって立設している。
また、賞球払い出し用専用通路３７Ａの通路３７Ａ１、３７Ａ２を分離するべく壁部Ｈ２を、図１０に示すように、開口部Ｐ１を除いて、球均し５０の上流側から下流側に向かって立設する。この場合、壁部Ｈ２は下流側に向かって途中までなだらかな上り勾配をなし、それ以降下流側に向かってなだらかな下り勾配をなす。更に、これら各通路３７Ａ１、３７Ａ２、３７Ｂの途中には、パチンコ球が重なって流下することを防止して、パチンコ球を１列に整列させるべく、揺動可能な球均し５０がそれぞれ設けられている。このように球均し５０の上流側から下流側に向かって、賞球払い出し用専用通路３７Ａの通路３７Ａ１、３７Ａ２と貸し球払い出し用専用通路３７Ｂとが分離されているので、球均し５０の上流側から下流側に向かって賞球及び貸し球相互の干渉がなく、賞球及び貸し球が詰まりにくくなる。
【００５０】
また、タンクレール３７の上流側には、図５及び図１４に示すパチンコ球検出板５１を収納するため、図６に示すように開口部Ｐ１を備えている。この開口部Ｐ１は、各通路３７Ａ１、３７Ａ２、３７Ｂを跨ぐように開口し、タンク３５の底面に設けられた連通孔と対向し、この連通孔はある程度の大きさを有している。
そして、タンク３５の連通孔を介して落下するパチンコ球が、貸し球払い出し用専用通路３７Ｂに入り易くするように、タンクレール３７における貸し球払い出し用専用通路３７Ｂ側の外壁Ｈ３には、図６及び図８に示すように外側に膨らむ形状の幅広の球受け部５２が、タンクレール３７の上流側から下流側に向かって形成されている。尚、球受け部５２の底面５２ａは、上流側から下流側に、更に、貸し球払い出し用専用通路３７Ｂ側に向かって下り勾配となっているので、球受け部５２に落下したパチンコ球は、貸し球払い出し用専用通路３７Ｂ側に導かれる。
【００５１】
そのタンクレール３７の開口部Ｐ１には、その上側から、図５に示すように、パチンコ球検出板５１、検出アーム５３、及び、パチンコ球検出用スイッチＱ１用の収納具Ｑ２（図１５参照）が順番に配設され、パチンコ球の有無を検出する検出手段を構成する。そして、パチンコ球検出手段は、タンク３５の連通孔を介して落下する多数のパチンコ球が、その自重によりパチンコ球検出板５１を押し下げ、押し下げられたパチンコ球検出板５１が検出アーム５３を更に押し下げ、更に押し下げられた検出アーム５３が、パチンコ球検出用スイッチＱ１を作動させるように構成されている。そして、その検出手段は、タンクレール３７の賞球払い出し用専用通路３７Ａまたは貸し球払い出し用専用通路３７Ｂのいずれか一方にパチンコ球が無い場合に、パチンコ球の不存在を検出するので、貸し球払い出し用専用通路３７Ｂ上にパチンコ球があっても、賞球払い出し用専用通路３７Ａ上にパチンコ球が無い場合、または、賞球払い出し用専用通路３７Ａ上にパチンコ球があっても、貸し球払い出し用専用通路３７Ｂ上にパチンコ球が無い場合、パチンコ球の不存在として検出する。
【００５２】
具体的には、タンクレール３７における通路３７Ａ１側の下側外壁Ｈ４には、パチンコ球検出用スイッチＱ１（図１５参照）を取り付けるため、図６及び図９乃至図１３に示すような、開口部Ｐ１側に面する突起部Ｈ５が設けられている。この突起部Ｈ５には、左右に一対のボスＨ５ａが突設され、これらボスＨ５ａには、パチンコ球検出用スイッチＱ１用の収納具Ｑ２が取り付けられる。
また、その下側外壁Ｈ４の突起部Ｈ５の上方には、検出アーム５３を揺動可能に取り付けるための、ボスＨ６が設けられており、このボスＨ６は、検出アーム５３を貫通する軸材Ｊ１の片側を支持する（図５、図１４参照）。
また、下側外壁Ｈ４の突起部Ｈ５の側方（パチンコ球流路の下流側）には、パチンコ球検出板５１を支持するための、取り付け孔Ｈ７（図６参照）が設けられており、また、タンクレール３７における貸し球払い出し用専用通路３７Ｂ側の外壁Ｈ３には、取り付け孔Ｈ７に対向して取り付け部Ｈ８が設けられている。これら取り付け孔Ｈ７と取り付け部Ｈ８との間を掛け渡す軸材Ｊ０（図５参照）が、図１４に示すように、パチンコ球検出板５１の片側端部に形成された貫通口を貫通することにより、パチンコ球検出板５１のパチンコ球流路の上流側に位置する端部を、軸材Ｊ０を回転中心として揺動可能に取り付ける。更に、下側外壁Ｈ４の下方側には、メインセット盤３４の位置決め突部３４ａを収納して、タンクレール３７を固定するための取り付け孔Ｈ９が設けられている（図５参照）。
【００５３】
ここで、図１５は、パチンコ機１のタンクレール３７に取り付けられるパチンコ球検出用スイッチＱ１及び収納具Ｑ２を分解して示す拡大斜視図である。図１６は、パチンコ機１のタンクレール３７に取り付けられるパチンコ球検出用スイッチＱ１を示す拡大斜視図であって、図１６（ａ）はパチンコ球検出用スイッチＱ１の作動片Ｑ１を押さえた状態を示し、図１６（ｂ）はパチンコ球検出用スイッチＱ１の作動片Ｑ１を押さえていない状態を示す。
【００５４】
収納具Ｑ２は、図１５に示すように、片側収納部Ｑ２ａと相手方収納部Ｑ２ｂとを備えており、片側収納部Ｑ２ａと相手方収納部Ｑ２ｂとを相互に組み付けることにより、片側収納部Ｑ２ａと相手方収納部Ｑ２ｂとの間に、パチンコ球検出用スイッチＱ１を収納する。かかる収納の際に、片側収納部Ｑ２ａの中央には、一対の位置決め突起Ｑ２ａ１が設けられ、この位置決め突起Ｑ２ａ１は、パチンコ球検出用スイッチＱ１に設けられた位置決め孔（図示せず）に挿入して、相手方収納部Ｑ２ｂとパチンコ球検出用スイッチＱ１とを位置決めする。また、片側収納部Ｑ２ａの左右の腕部Ｑ２ａ２は、相手方収納部Ｑ２ｂの左右の位置決め孔Ｑ２ｂ１に挿入して、片側収納部Ｑ２ａと相手方収納部Ｑ２ｂとを位置決めするので、パチンコ球検出用スイッチＱ１と収納具Ｑ２全体との位置決めを確実なものとする。
【００５５】
また、図５に示す左右のネジ部材Ｊ２が、相手方収納部Ｑ２ｂの左右の位置決め孔Ｑ２ｂ３を貫通して、ボスＨ５ａに対してネジ止めすることにより、パチンコ球検出用スイッチＱ１及び収納具Ｑ２を、タンクレール３７の下側外壁Ｈ４に取り付けることができる。更に、軸材Ｊ１（図５参照）が相手方収納部Ｑ２ｂの上部位置決めボスＱ２ｂ２（図１５参照）及び検出アーム５３（図１４参照）を貫通するように掛け渡すことにより、前記ボスＨ６に対してネジ止めすることができるので、パチンコ球検出板５１の下方位置に、軸材Ｊ１を回転中心として検出アーム５３を揺動自在に取り付けることができる。
【００５６】
そして、開口部Ｐ１に収納されるパチンコ球検出板５１は、タンクレール３７の２条の賞球払い出し用専用通路３７Ａ１、３７Ａ２及び壁部Ｈ２（図６、図１７参照）と連続するように、２条分の平板部Ｗ２及び平板部Ｗ２の中央に立設する壁部Ｗ１（図１４参照）を備える賞球払い出し用板部５１ａと、タンクレール３７の貸し球払い出し用専用通路３７Ｂと対応する貸し球払い出し用板部５１ｂとを備えている。そのため、賞球払い出し用板部５１ａの平板部Ｗ２上に載るパチンコ球は、自重によって賞球払い出し用板部５１ａのパチンコ球流路の上流側を、下方側に下げるとともに壁部Ｗ１に分離され、その壁部Ｗ１に沿いながら賞球払い出し用専用通路３７Ａ１、３７Ａ２に円滑に導かれる。
【００５７】
また、貸し球払い出し用板部５１ｂ上に載るパチンコ球は、自重によって貸し球払い出し用板部５１ｂのパチンコ球流路の上流側を下方側に下げるとともに、図１４に示す賞球払い出し用板部５１ａと貸し球払い出し用板部５１ｂとの間に位置する壁部Ｈ１よって分離されるので、貸し球払い出し用専用通路３７Ｂに円滑に導かれる。
また、パチンコ球検出板５１によって押下される検出アーム５３は、パチンコ球検出板５１の賞球払い出し用板部５１ａと対応する賞球払い出し用アーム５３ａと、貸し球払い出し用板部５１ｂと対応する貸し球払い出し用アーム５３ｂとを備えている（図１４参照）。そのため、賞球払い出し用板部５１ａ上に載るパチンコ球は、その自重によって、賞球払い出し用板部５１ａ自体で賞球払い出し用アーム５３ａのパチンコ球流路の下流側を押下し、また、貸し球払い出し用板部５１ｂ上に載るパチンコ球は、その自重によって、貸し球払い出し用板部５１ｂ自体で貸し球払い出し用アーム５３ｂのパチンコ球流路の下流側を押下する。
【００５８】
また、検出アーム５３の下方側に位置するパチンコ球検出用スイッチＱ１は、図１６に示すように、一対の作動片Ｑ１ａを上方側に備えているので、検出アーム５３によって作動片Ｑ１ａが押下された場合（図１６（ａ）参照）、パチンコ球検出用スイッチＱ１は、オン状態となってパチンコ球検出板５１上のパチンコ球の不存在を検出する。それに対して、検出アーム５３によって作動片Ｑ１ａが押下されていない場合（図１６（ｂ）参照）、パチンコ球検出用スイッチＱ１は、オフ状態となって、パチンコ球検出板５１上のパチンコ球の存在を検出する。
この場合、パチンコ球検出板５１のパチンコ球流路の下流側側部に穿設された取付孔５１ｃに、検出アーム５３の一端側側部に突設された突部５３ｃがはめ込まれているので（図１４参照）、パチンコ球検出板５１のパチンコ球流路の上流側が、図５に示すように、軸材Ｊ０を回転中心として揺動する際に、検出アーム５３のパチンコ球流路の下流側は、軸材Ｊ１を回転中心として揺動する。また、その検出アーム５３の突部５３ｃの反対側には、重り５３ｄが設けられており、この重り５３ｄの自重によって、検出アーム５３の突部５３ｃを上方に押し上げるので、検出アーム５３のパチンコ球流路の下流側は、軸材Ｊ１を回転中心として揺動する際に、パチンコ球検出板５１のパチンコ球流路の上流側は、軸材Ｊ０を回転中心として揺動する。
【００５９】
そして、パチンコ球検出板５１の板部５１ａ、５１ｂ上のいずれにもパチンコ球が無い場合、賞球払い出し用アーム５３ａ及び貸し球払い出し用アーム５３ｂの双方の上流側が下がらず、且つ検出アーム５３の突部５３ｃのいずれもが上方に上がる結果、パチンコ球検出用スイッチＱ１の一対の作動片Ｑ１ａの双方が押下されて、パチンコ球の不存在が検出される。
一方、パチンコ球検出板５１の板部５１ａ、５１ｂ上の双方にパチンコ球が有る場合、重り５３ｄの自重に抗して、パチンコ球検出板５１上のパチンコ球の自重によって、パチンコ球検出板５１の板部５１ａ、５１ｂの双方の上流側が下方に下がる場合、検出アーム５３の突部５３ｃが下方に下がるとともに双方の重り５３ｄが上方に上がるので、検出アーム５３の下方部に突設され一対の作動片Ｑ１ａの双方を跨ぐ幅広の検出部５３ｅが上方に上がり、パチンコ球検出用スイッチＱ１の一対の作動片Ｑ１ａの双方が押下されずに、パチンコ球検出用スイッチＱ１がオフ状態になって、パチンコ球の存在が検出される。
【００６０】
かかるパチンコ球検出板５１及び検出アーム５３の動作について、図１４（ａ）乃至図１４（ｄ）を参照して、更に詳細に説明する。図１４（ａ）乃至図１４（ｄ）は、パチンコ機１のタンクレール３７に取り付けられるパチンコ球検出板５１及び検出アーム５３を斜め上方から見た拡大斜視図である。図１４（ａ）は貸し球（図示せず）のみがパチンコ球検出板５１上に存在する場合、図１４（ｂ）は貸し球及び賞球（図示せず）がパチンコ球検出板５１上に存在する場合、図１４（ｃ）は貸し球及び賞球がパチンコ球検出板５１上に存在しない場合、（ｄ）は賞球（図示せず）のみがパチンコ球検出板５１上に存在する場合を示す。図１４（ｅ）乃至図１４（ｆ）は、パチンコ機１のタンクレール３７の開口部Ｐ１に取り付けられるパチンコ球検出板５１及び検出アーム５３を、斜め下方から見た拡大斜視図であって、図１４（ｅ）は図１４（ａ）に対応し貸し球のみが存在する場合、図１４（ｆ）は図１４（ｂ）に対応し貸し球及び賞球が存在する場合、図１４（ｇ）は図１４（ｃ）に対応し貸し球及び賞球が存在しない場合、図１４（ｈ）は図１４（ｄ）に対応し賞球のみが存在する場合を示す。
また、図１７は、実施形態に係るパチンコ機１のパチンコ球検出板５１、検出アーム５３及びパチンコ球検出用スイッチＱ１等をタンクレール３７に取り付けた状態を示す拡大斜視図である。図１７（ａ）はパチンコ球（図示せず）が賞球払い出し用板部５１ａのみに存在する状態を示し、図１７（ｂ）はパチンコ球（図示せず）が貸し球払い出し用板部５１ｂのみに存在する状態を示し、図１７（ｃ）はパチンコ球（図示せず）が賞球払い出し用板部５１ａ及び貸し球払い出し用板部５１ｂ上に位置する状態を示す。
【００６１】
図１７（ｂ）、図１４（ａ）及び図１４（ｅ）に示すように、多数のパチンコ球がパチンコ球検出板５１の貸し球払い出し用板部５１ｂ上のみに位置する場合、貸し球払い出し用板部５１ｂのみの上流側が下方に下がって、検出アーム５３の貸し球払い出し用アーム５３ｂのみの突部５３ｃが下方に下がるものの、賞球払い出し用アーム５３ａの突部５３ｃが上方に上がった状態である。それにより、賞球払い出し用アーム５３ａの検出部５３ｅによって一対の作動片Ｑ１ａの双方が押下され、パチンコ球の不存在が検出される。このようにパチンコ球を不存在として検出した場合、その旨を遊技店の管理者に報知したり、または、例えば遊技盤２の表示ランプ等で表示できるので、賞球の払い出し中にパチンコ球の不足等が生じても、適切に対処することができる。
これは、貸し球払い出し用板部５１ｂ上にパチンコ球があっても、賞球払い出し用板部５１ａ上にパチンコ球が無い場合、パチンコ球の不存在を検出してエラー処理するのが、遊技店及び遊技者にとって望ましいからである。
【００６２】
また、図１７（ｃ）、図１４（ｂ）及び図１４（ｆ）に示すように、多数のパチンコ球がパチンコ球検出板５１の賞球払い出し用板部５１ａ及び貸し球払い出し用板部５１ｂ上に位置する場合、賞球払い出し用板部５１ａ及び貸し球払い出し用板部５１ｂの双方の上流側が下方に下がって、検出アーム５３の賞球払い出し用アーム５３ａ及び貸し球払い出し用アーム５３ｂの双方の突部５３ｃが下方に下がる。それにより、検出アーム５３の検出部５３ｅによって一対の作動片Ｑ１ａの双方が押下されずに、パチンコ球が存在することが検出される。
【００６３】
また、図１４（ｃ）及び図１４（ｇ）に示すように、パチンコ球がパチンコ球検出板５１の賞球払い出し用板部５１ａ及び貸し球払い出し用板部５１ｂ上に位置しない場合、賞球払い出し用板部５１ａ及び貸し球払い出し用板部５１ｂの上流側が下方に下がらず、検出アーム５３の賞球払い出し用アーム５３ａ及び貸し球払い出し用アーム５３ｂの突部５３ｃが上方に上がった状態である。それにより、検出アーム５３の検出部５３ｅによって一対の作動片Ｑ１ａの双方が押下され、パチンコ球の不存在が検出される。
また、図１７（ａ）、図１４（ｄ）及び図１４（ｈ）に示すように、多数のパチンコ球がパチンコ球検出板５１の賞球払い出し用板部５１ａ上のみに位置する場合、賞球払い出し用板部５１ａの上流側が下方に下がって、検出アーム５３の賞球払い出し用アーム５３ａの突部５３ｃが下方に下がるものの、貸し球払い出し用アーム５３ｂの突部５３ｃが上方に上がった状態である。それにより、貸し球払い出し用アーム５３ｂの検出部５３ｅによって一対の作動片Ｑ１ａの双方が押下され、パチンコ球の不存在が検出される。
【００６４】
これは、賞球払い出し用板部５１ａ上にパチンコ球があっても、貸し球払い出し用板部５１ｂ上にパチンコ球が無い場合、パチンコ球の不存在を検出して、エラー処理するのが、遊技店及び遊技者にとって望ましいからである。
このようにパチンコ球検出用スイッチＱ１が、検出アーム５３の賞球払い出し用アーム５３ａ及び貸し球払い出し用アーム５３ｂのそれぞれによって作動状態になることにより、賞球払い出し用板部５１ａまたは貸し球払い出し用板部５１ｂ上のパチンコ球の存在及び非存在を即座に検出することができる。
また、タンク３５の下方のタンクレール３７の上流側に、賞球払い出し用専用通路３７Ａ及び貸し球払い出し用専用通路３７Ｂのパチンコ球の有無をそれぞれ検出するため、パチンコ球検出用スイッチＱ１、パチンコ球検出板５１及び検出アーム５３を備えたので、賞球払い出し用専用通路３７Ａまたは貸し球払い出し用専用通路３７Ｂのパチンコ球の不存在を即座に検出でき、その旨を遊技店の管理者等に報知することができる。
【００６５】
次に、図５に示す賞球払い出し案内部３８Ａと下方側賞球通路４１との間に位置する賞球用制御部３９の構成について、図１８に基づいて説明する。図１８は実施形態に係るパチンコ機１の賞球用制御部３９の分解斜視図である。
先ず、図１８に示すように、賞球用制御部３９は、賞球ケース本体５９Ａ、賞球ケースカバー５９Ｂ、賞球ケース軸受部５９Ｃ、ステッピングモータ６０、スクリュー６１、及び球検出センサ６２等から構成されている。この賞球ケース本体５９Ａ、賞球ケースカバー５９Ｂ、賞球ケース軸受部５９Ｃ、及びスクリュー６１は合成樹脂製である。
【００６６】
賞球ケース本体５９Ａは略Ｌ字形であり、上部（図１８中、右側上部）には２列の球通路３９Ａ１、３９Ａ２が開口しており、賞球払い出し案内部３８Ａに形成されている各賞球払い出し用専用通路３８Ａ１、３８Ａ２に対向している。また、賞球ケース本体５９Ａの下面には賞球ケース軸受部５９ＣがネジＭ１によりネジ止めされる。この賞球ケース軸受部５９Ｃは、上面に曲面を有する各リブＭ２が、各球通路３９Ａ１、３９Ａ２の下端部に対向するように形成され、略中央部には、スクリュー６１が回転可能に挿入される貫通孔Ｍ３が形成されている。また、この貫通孔Ｍ３の各リブＭ２に対応する部分には角溝部Ｍ４が形成され、各球通路３９Ａ１、３９Ａ２、各リブＭ２、各角溝部Ｍ４及びスクリュー６１により賞球用制御部３９の上端面から下端面に連通する２列の賞球通路３９Ａ１、３９Ａ２が形成される。そして、貫通孔Ｍ３に挿入されるスクリュー６１の回転によりパチンコ球がこの角溝部Ｍ４内を送られて賞球として払い出される。また、賞球ケース軸受部５９Ｃの各角溝部Ｍ４の外側には、略コの字形に形成されている球検出センサ６２がその内側に形成される爪部の嵌合により取り付けられる。この球検出センサ６２は、各対向する角溝部Ｍ４内にパチンコ球有りを検出すると、検出信号を出力するセンサである。
【００６７】
また、賞球ケース本体５９Ａの段差部Ｎ１には、ステッピングモータ６０が置かれ、賞球ケース本体５９Ａに形成された貫通孔Ｎ２に挿通されるネジＮ３により賞球ケース軸受部５９Ｃのネジ孔Ｍ５にネジ止めされて固定される。また、ステッピングモータ６０のシャフト６０Ａは、スクリュー６１の上端部に形成された取付孔６１Ａに挿入後接着される。これにより、スクリュー６１はステッピングモータ６０により回転駆動される。
【００６８】
そして、賞球ケース本体５９Ａの上面端縁部と後面側端縁部に各爪部Ｎ４が形成され、また、賞球ケースカバー５９Ｂは、賞球ケース本体５９Ａの上面端縁部及び後面側端縁部の各爪部Ｎ４に対応するように、その上面と側面に取付孔Ｎ５が形成されるので、賞球ケース本体５９Ａの左側面から嵌め込まれて固定された状態で、賞球ケース本体５９Ａの段差部Ｎ１に取り付けられたステッピングモータ６０と賞球ケース本体５９Ａの後面下端縁部を覆っている。
次に、賞球用制御部３９によるパチンコ球の流下について、図１９に基づいて説明する。図１９は実施形態に係る賞球用制御部３９の球検出センサ６２の取付面側から見た要部断面図である。
【００６９】
そのスクリュー６１は、多数のパチンコ球の流下が一度に生じることを阻止してパチンコ球を１個ずつ流下させるために使用するものであり、図１９に示すように、賞球通路３９Ａ１、３９Ａ２の出口に位置している。そして、スクリュー６１の出口側周面部に反時計回り方向の螺旋状の突起６１Ｂが形成されているので、賞球払い出し案内部３８Ａの賞球払い出し用専用通路３８Ａ１、３８Ａ２から送られた多数のパチンコ球の流下を停止させる。この螺旋状の突起６１Ｂは、パチンコ球の直径長さをほぼ１ピッチとした場合に、約１．５ピッチ分形成されているので、螺旋状の突起６１Ｂに沿ってパチンコ球を順番に送る。
そして、この螺旋状の突起６１Ｂ間の空間と各角溝部Ｍ４とによってパチンコ球が１個宛収納される球収納部が形成され、ステッピングモータ６０の所定角度（実施形態においては、約１８０度）の反時計回りの回転によって、各球収納部と下方側賞球通路４１内の賞球通路とが連通するので、この球収納部に収納されたパチンコ球が賞球用制御部３９の下端面から１個ずつ、下方側賞球通路４１へ順次払い出される。
【００７０】
そして、球検出センサ６２は、スクリュー６１の螺旋状の突起６１Ｂの入口側の近傍位置を上限（図１９中、上側の一点鎖線）とし、スクリュー６１の螺旋状の突起６１Ｂの出口側の近傍位置を下限（図１９中、下側の一点鎖線）として、この間に取り付けられるので、パチンコ球を確実に検出できる。それにより、賞球用制御部３９は、制御信号による駆動の下に、パチンコ球を１個ずつカウントしながら、ステッピングモータ６０を駆動させる結果、所定個数のパチンコ球を下方側賞球通路４１へ順次払い出すことができる。
もっとも、賞球用制御部３９の構成は必ずしも上記のものに限定される訳ではなく、それ以外の態様を採用しても良い。
【００７１】
次に、貸し出し用制御部４０について、図２０及び図２１に基づいて説明する。
図２０は、実施の形態の貸し出し用制御部４０内を示す正面図であって、図２０（ａ）はパチンコ球の流下を停止した状態、図２０（ｂ）はパチンコ球の流下を開始した状態、図２０（ｃ）はパチンコ球の流下を継続した状態を示す。図２１は、実施の形態の貸し出し用制御部４０内の概略図であって、図２１（ａ）乃至図２１（ｃ）は、所定個数のパチンコ球を払い出しながら、パチンコ球の流下を停止するまでの経過状態を示す。
前記貸し出し用制御部４０内には、図２０及び図２１に示すように、オン時にロックを解除するプランジャ７１ａを有する払出ソレノイド７１と、そのプランジャ７１ａに係合する作動片７２と、その作動片７２の第１腕部７２ａによって係止させたり、その係止を解除したりする止め車７３と、止め車７３と一体的に回転する爪車７４と、これら止め車７３及び爪車７４と一体的に回転する第１歯車７５と、この第１歯車７５と歯合する第２歯車７６と、第２歯車７６と一体的に回転するカム部材７７とが設けられている。
この場合、その爪車７４は、その外周に１０個の球止め爪７４ａを有し、貸し出し用制御部４０内の貸し球通路７８に１個の球止め爪７４ａが突き出ているので、球止め爪７４ａが貸し球通路７８内でパチンコ球の流下を支えた状態から、爪車７４が１回転すると、１０個のパチンコ球を下方側貸し球通路４２へ払い出すように構成されている。
【００７２】
また、作動片７２は、止め車７３の凹部７３ａと係止する第１腕部７２ａと、カム部材７７の凹部７７ａと係止する第２腕部７２ｂと、カム部材７７の逆転防止用凸部７７ｂと係止する第３腕部７２ｃとを備え、軸部７２ｄを回転中心として回転可能となっている。そして、払出ソレノイド７１のオフ時では、図２０（ａ）に示すように、止め車７３は、その凹部７３ａと第１腕部７２ａとの係止により回転停止状態にあるのに対して、払出ソレノイド７１のオン時では、図２０（ｂ）に示すように、プランジャ７１ａが払出ソレノイド７１側に下がって、止め車７３の凹部７３ａと第１腕部７２ａとの係止を解除して、止め車７３、爪車７４及び第１歯車７５を一体的に回転自在とする。また、払出ソレノイド７１のオン時で、作動片７２の第２腕部７２ｂがカム部材７７の凹部７７ａから離れるので、図２０（ｃ）に示すように、作動片７２の第２腕部７２ｂがカム部材７７の凹部７７ａから離した状態を維持し、止め車７３の凹部７３ａと第１腕部７２ａとの係止を解除した状態を維持する。
【００７３】
そして、第１歯車７５は第２歯車７６と歯合した状態で、第２歯車７６が１回転すると第１歯車７５が２．５回転するようにギヤ比を設定してあるため、第２歯車７６及びカム部材７７が１回転して、作動片７２の第２腕部７２ｂがカム部材７７の凹部７７ａに戻った際に、図２１（ａ）に示すように、作動片７２が軸部７２ｄの回りに反時計回りに回転する。そして、止め車７３が更に回転し（図２１（ｂ）参照）、止め車７３の凹部７３ａと第１腕部７２ａとが係止状態になって、図２１（ｃ）に示すように、止め車７３、爪車７４及び第１歯車７５が回転停止状態になる。それにより、その爪車７４の球止め爪７４ａが貸し球通路７８内でパチンコ球の流下を支えた状態から、第１歯車７５、止め車７３及び爪車７４が２．５回転すると払出停止になるので、払出ソレノイド７１が１回オンすると、２５個のパチンコ球を下方側貸し球通路４２へ払い出すように構成されている。従って、貸し出し用制御部４０は、制御信号による払出ソレノイド７１の駆動の下に、所定個数のパチンコ球を下方側貸し球通路４２へ順次払い出すことができる。もっとも、貸し出し用制御部４０の構成は必ずしも上記のものに限定される訳ではなく、それ以外の態様を採用しても良い。
【００７４】
次に、タンクレール３７の貸し球払い出し用板部５１ｂを使用できない状態に設定するための閉鎖部材９０について説明する。図２２は実施形態に係るパチンコ機のタンクレール３７と、このタンクレール３７に取り付ける閉鎖部材９０を拡大して示す斜視図である。図２３は実施形態に係るパチンコ機１のタンクレール３７に閉鎖部材９０を取り付ける状態を拡大して示す正面図である。図２４は実施形態に係るパチンコ機１のタンクレール３７に閉鎖部材９０を取り付けた状態を拡大して示す斜視図である。
閉鎖部材９０は、図２２乃至図２４に示すように、貸し球払い出し用板部３７Ｂに対して着脱可能に取り付けることにより、貸し球払い出し用板部３７Ｂ内にパチンコ球が流入しないようにするための部材である。
【００７５】
この閉鎖部材９０は、パチンコ球を賞球払い出し用専用通路３７Ａへ案内する下り勾配の傾斜面をなす上面平板部９１を備えており、上面平板部９１は閉鎖部材９０を貸し球払い出し用板部３７Ｂに対して取り付けた際に、閉鎖部材９０上に載ったパチンコ球をタンクレール３７の賞球払い出し用専用通路３７Ａに案内する。また、閉鎖部材９０は上面平板部９１から立設して、貸し球払い出し用板部５１ｂから賞球払い出し用板部５１ａに向かって延びる立壁案内部９２を備えるので、貸球の払い出しを行わないパチンコ機１として使用する際、貸球払い出し用専用通路３７Ｂに閉鎖部材９０を取り付けると、立壁案内部９２に沿って、パチンコ球を賞球払い出し用専用通路３７Ａに案内する。
また、閉鎖部材９０は上面平板部９１から下方に向かって延びる下側フック部９３を備えるので、この下側フック部９３が貸し球払い出し用専用通路３７Ｂに設けられた係止部Ｌ２と係止することにより、閉鎖部材９０は貸球払い出し用専用通路３７Ｂに固定される。
【００７６】
具体的には、その下側フック部９３は、貸し球払い出し用専用通路３７Ｂの案内溝Ｌ１に設けられた係止部Ｌ２に対して係止するためのものであって、下側フック部９３のフックを、貸し球払い出し用専用通路３７Ｂの案内溝Ｌ１に貫通させた状態で、保持部としての係止部Ｌ２に引っかけることができる。このように下側フック部９３と係止部Ｌ２とを係止して、閉鎖部材９０を貸し球払い出し用専用通路３７Ｂに取り付けた場合、上面平板部９１が球受け部５２上に位置し、タンク３５の連通孔を介して落下するパチンコ球を貸し球払い出し用専用通路３７Ｂに入るのを防止し、上面平板部９１の下り勾配の傾斜面及び立壁案内部９２が、上面平板部９１のパチンコ球を賞球払い出し用板部５１ａに導くことができる。
このようにパチンコ球が貸し球払い出し用専用通路３７Ｂに入るのを防止する理由は、パチンコ機１にカード式球貸し機２１を使用しないように設定した場合に、パチンコ球が貸し球払い出し用専用通路３７Ｂに入ることによる誤動作を防止するためである。
【００７７】
また、閉鎖部材９０はパチンコ球検出用スイッチＱ１を非作動状態にするため下方に向かって延びる下壁部９４を備えており、閉鎖部材９０を貸球払い出し用専用通路３７Ｂに取り付けた状態で、その下壁部９４がパチンコ球検出板５１における貸し球払い出し用板部５１ｂ側に位置する検出部５３ｅを上方側に位置させることができる。
このようにパチンコ球検出用スイッチＱ１を非作動状態にする理由は、パチンコ機１にカード式球貸し機２１を使用しないように設定した場合に、パチンコ球が貸し球払い出し用専用通路３７Ｂに入って、パチンコ球検出用スイッチＱ１が検出することによる誤動作を防止するためである。
【００７８】
具体的には、閉鎖部材９０を貸し球払い出し用専用通路３７Ｂに取り付けた場合、パチンコ球検出板５１の貸し球払い出し用板部５１ｂ１は、下壁部９４によって押さえ付けられることにより、検出アーム５３の貸し球払い出し用検出アーム５３ｂの突部５３ｃが下方に下がった状態を維持するので、貸し球払い出し用検出アーム５３ｂの検出部５３ｅが上方に上がり、パチンコ球検出用スイッチＱ１の一対の作動片Ｑ１ａの双方が押下されない。それにより、賞球払い出し用専用通路３７Ａに連続するパチンコ球検出板５１の賞球払い出し用板部５１ａにパチンコ球がある場合、賞球払い出し用検出アーム５３ａの検出部５３ｅが上方に上がり、パチンコ球検出用スイッチＱ１の一対の作動片Ｑ１ａの双方が押下されないので、パチンコ球検出用スイッチＱ１がオフ状態になって、パチンコ球の存在が検出される。
【００７９】
それに対して、パチンコ球検出板５１の賞球払い出し用板部５１ａにパチンコ球がある場合、賞球払い出し用検出アーム５３ａの検出部５３ｅが下方に下がり、パチンコ球検出用スイッチＱ１の一対の作動片Ｑ１ａの双方が押下されて、パチンコ球検出用スイッチＱ１がオン状態になって、パチンコ球の不存在が検出される。このように貸し球払い出し用専用通路３７Ｂに閉鎖部材９０を装着する作業の際に、パチンコ機１背面側から離れた位置に貸し球払い出し用専用通路３７Ｂを設けた場合、貸し球払い出し用専用通路３７Ａがパチンコ機１背面側に近設している場合に比べて、その閉鎖部材９０の装着作業が容易になる。
【００８０】
以上詳細に説明した通り、この実施形態に係るパチンコ機１によれば、パチンコ球補給装置３６から補給されるパチンコ球をタンク３５で貯留し、タンク３５から供給されたパチンコ球を払い出す賞球払い出し装置と、タンク３５から供給されたパチンコ球を払い出す貸し球払い出し装置とを別々に設ける。そして、その賞球払い出し装置は、賞球の払い出し動作の際に、賞球用制御部３９を駆動させ、パチンコ機１の背面側に設けられたタンクレール３７の賞球払い出し用専用通路３７Ａ、賞球払い出し案内部３８Ａの賞球払い出し用専用通路及び下方側賞球通路４１等を通って、パチンコ球を払い出すのに対して、貸し球払い出し装置は、貸し球の払い出し動作の際に、貸し出し用制御部４０を駆動させ、タンクレール３７の貸し球払い出し用専用通路３７Ｂ、貸し球払い出し案内部３８Ｂの貸し球払い出し用専用通路及び下方側貸し球通路４２等を通って、タンク３５で貯留されたパチンコ球を払い出すので、仮に、賞球の払い出し中または貸し球の払い出し中のいずれかでパチンコ球が詰まっても、詰まっていない貸し球または賞球のいずれかを払い出すことができ、遊技者に故障発生の不安感を与えることが少ない。
【００８１】
そして、貸し球払い出し動作を行わない場合、貸し球払い出し用専用通路３７Ｂに閉鎖部材９０を装着して、パチンコ球が貸し球払い出し用専用通路３７Ｂに流れ込むことを防止するので、貸し球払い出し用専用通路３７Ｂにパチンコ球が流れ込むことによる誤動作の発生を防止して、保守管理を容易にできる。
また、タンクレール３７上のパチンコ球を検出する検出手段は、前記タンクレール３７の賞球払い出し用専用通路３７Ａ及び前記貸し球払い出し用専用通路３７Ｂに対応し、パチンコ球の自重によって可動する賞球払い出し用板部５１ａ及び貸し球払い出し用板部５１ｂと、これら賞球払い出し用板部５１ａ及び貸し球払い出し用板部５１ｂにそれぞれ対応し、賞球払い出し用板部５１ａ及び貸し球払い出し用板部５１ａの可動によって可動する賞球払い出し用アーム５３ａ及び貸し球払い出し用アーム５３ｂと、これら賞球払い出し用アーム５３ａ及び貸し球払い出し用アーム５３ｂのいずれかの可動によって作動するパチンコ球検出スイッチＱ１とを備えるので、賞球払い出し用板部５１ａ上のパチンコ球の自重によって、賞球払い出し用板部５１ａが可動し、この賞球払い出し用板部５１ａの可動によって賞球払い出し用アーム５３ａが可動し、この賞球払い出し用アーム５３ａの可動によってパチンコ球検出スイッチＱ１が作動する。
【００８２】
一方、貸し球払い出し用板部５１ｂ上のパチンコ球の自重によって、貸し球払い出し用板部５１ｂが可動し、この貸し球払い出し用板部５１ｂの可動によって貸し球払い出し用アーム５３ｂが可動し、この貸し球払い出し用アーム５３ｂの可動によってパチンコ球検出スイッチＱ１が作動する。
それにより、貸し球払い出し用板部５１ｂ上にパチンコ球があっても、賞球払い出し用板部５１ａ上にパチンコ球が無い場合、または、賞球払い出し用板部５１ａ上にパチンコ球があっても、貸し球払い出し用板部５１ｂ上にパチンコ球が無い場合、パチンコ球の不存在として検出して、その旨を遊技店の管理者に報知したり、または、例えば遊技盤の表示ランプ等で表示できる。
【００８３】
尚、本発明は前記実施形態に限定されることはなく、本発明の要旨を逸脱しない範囲内で種々の改良、変形が可能であることは勿論であり、以下のようにしてもよい。
例えば、タンクレール３７が、賞球払い出し用専用通路３７Ａから貸し球払い出し用専用通路３７Ｂを分離可能に形成され、タンクレール３７の賞球払い出し用専用通路３７Ａに対して、図２５に示すように、貸し球払い出し用専用通路３７Ｂを着脱可能となるように構成してもよい。この場合、賞球払い出し用専用通路３７Ａに対して、貸し球払い出し用専用通路３７Ｂをネジ部材（図示せず）等により取り付ける。そして、パチンコ機１に球貸機２１を使用しない場合であって、貸し球払い出し用専用通路３７Ｂを取り付けない場合は、パチンコ機１の背面側の空間を確保するとともに、コストの低減化を図ることができる。
更にパチンコ機としては、上記第１種パチンコ機に限らず、例えば第２種パチンコ機、第３種パチンコ機に適用しても良い。また、カード式パチンコ機以外の通常のパチンコ機において、この発明を実施してもよい。また、タンクレール３７上方に位置するタンク３５内部に、賞球払い出し用専用路及び貸し球払い出し用専用路を設けてもよい。また、タンクレール３７の賞球払い出し用専用通路３７Ａと、貸し球払い出し用専用通路３７Ｂとを分離する壁部Ｈ１、Ｈ２を、必要に応じて、球均し５０の下流側から設けてもよい。また、貸し球払い出し用専用通路３７Ｂを２列以上設け、貸し球制御部４０の構造を２列以上で払い出すものの構成にしても良い。
【図面の簡単な説明】
【００８４】
【図１】この実施形態に係るカード式パチンコ機全体を示した正面図である。
【図２】実施形態に係るパチンコ機の背面図である。
【図３】実施形態に係るパチンコ機の賞球の払い出しに係るパチンコ球流路の要部を示した背面図である。
【図４】実施形態に係るパチンコ機の貸し球の払い出しに係るパチンコ球流路の要部を示した背面図である。
【図５】実施形態に係るパチンコ機の背面のパチンコ球流路の要部を拡大して示す背面図である。
【図６】実施形態に係るパチンコ機のタンクレールの要部を拡大して示した平面図である。
【図７】（ａ）は実施形態に係るパチンコ機のタンクレールの下流側の賞球払い出し案内部または貸し球払い出し案内部を示す分解斜視図であり、（ｂ）はその組み付けた状態を示す斜視図である。
【図８】実施形態に係るパチンコ機の上方側のパチンコ球流路の要部を拡大して示す側面図である。
【図９】実施形態に係るパチンコ機のタンクレールの要部を拡大して示した正面図である。
【図１０】実施形態に係るパチンコ機のタンクレールを図６のＡ−Ａ線で切断して示した拡大断面図である。
【図１１】実施形態に係るパチンコ機のタンクレールを図６のＢ−Ｂ線で切断して示した拡大断面図である。
【図１２】実施形態に係るパチンコ機のタンクレールを図９のＣ−Ｃ線で切断して示した側面図である。
【図１３】実施形態に係るパチンコ機のタンクレールを図９のＤ−Ｄ線で切断して示した側面図である。
【図１４】（ａ）乃至（ｄ）は、実施形態に係るパチンコ機のタンクレールに取り付けられるパチンコ球検出板及び検出アームを斜め上方から見た拡大斜視図であって、（ａ）は貸し球のみがパチンコ球検出板上に存在する場合、（ｂ）は貸し球及び賞球がパチンコ球検出板上に存在する場合、（ｃ）は貸し球及び賞球がパチンコ球検出板上に存在しない場合、（ｄ）は賞球のみがパチンコ球検出板上に存在する場合を示す。（ｅ）乃至（ｈ）は、タンクレールに取り付けられるパチンコ球検出板及び検出アームを斜め下方から見た拡大斜視図であって、（ｅ）は貸し球のみがパチンコ球検出板上に存在する場合、（ｆ）は貸し球及び賞球がパチンコ球検出板上に存在する場合、（ｇ）は貸し球及び賞球がパチンコ球検出板上に存在しない場合、（ｈ）は賞球のみがパチンコ球検出板上に存在する場合を示す。
【図１５】実施形態に係るパチンコ機のタンクレールに取り付けられるスイッチ部材を分解して示す拡大斜視図である。
【図１６】実施形態に係るパチンコ機のタンクレールに取り付けられるパチンコ球検出用スイッチを示す拡大斜視図であって、（ａ）はパチンコ球検出用スイッチを押さえた状態を示し、（ｂ）はパチンコ球検出用スイッチを押さえていない状態を示す。
【図１７】実施形態に係るパチンコ機のパチンコ球検出用スイッチ等をタンクレールに取り付けた状態を示す拡大斜視図であって、（ａ）はパチンコ球が賞球払い出し用板部のみに存在する状態を示し、（ｂ）はパチンコ球が貸し球払い出し用板部のみに存在する状態を示し、（ｃ）はパチンコ球がパチンコ球検出板の賞球払い出し用板部及び貸し球払い出し用板部上に位置する状態を示す。
【図１８】実施形態に係るパチンコ機の賞球ケースの要部の分解斜視図である。
【図１９】実施形態に係る賞球ケースの球検出センサの取付面側から見た要部断面図である。
【図２０】実施の形態の貸し出し用制御部内を示す正面図であって、（ａ）はパチンコ球の流下を停止した状態、（ｂ）はパチンコ球の流下を開始した状態、（ｃ）はパチンコ球の流下を継続した状態を示す。
【図２１】実施の形態の貸し出し用制御部内の概略図であって、（ａ）乃至（ｃ）は、所定個数のパチンコ球を払い出しながら、パチンコ球の流下を停止するまでの経過状態を示す。
【図２２】実施形態に係るパチンコ機のタンクレールと、このタンクレールに取り付ける閉鎖部材を拡大して示す斜視図である。
【図２３】実施形態に係るパチンコ機のタンクレールに閉鎖部材を取り付けた状態を拡大して示す正面図である。
【図２４】実施形態に係るパチンコ機のタンクレールに閉鎖部材を取り付けた状態を拡大して示す斜視図である。
【図２５】他の実施形態に係るパチンコ機のタンクレールの賞球払い出し用専用通路に対して、貸し球払い出し用専用通路を外した状態を示す拡大平面図である。
【符号の説明】
【００８５】
１・・・パチンコ機、２・・・遊技盤、３ａ・・・スピーカ、３・・・上皿、５・・・下皿、３５・・・タンク、３７・・・タンクレール、３７Ａ・・・賞球払い出し用専用通路、３７Ｂ・・・貸し球払い出し用専用通路、３８Ａ・・・賞球払い出し案内部、３８Ｂ・・・貸し球払い出し案内部、３９・・・賞球用制御部、３９Ａ１、３９Ａ２・・・賞球通路、４０・・・貸し出し用制御部、４１・・・下方側賞球通路、４３・・・球受け部、５０・・・球均し、５１・・・パチンコ球検出板、５１ａ・・・賞球払い出し用板部、５１ｂ・・・貸し球払い出し用板部、５３・・・検出アーム、５３ａ・・・賞球払い出し用アーム、５３ｂ・・・貸し球払い出し用アーム、５３ｅ・・・検出部、９０・・・閉鎖部材、９１・・・上面平板部、９２・・・立壁案内部、９３・・・下側フック部、９４・・・下壁部、Ｑ１・・・パチンコ球検出用スイッチ、Ｌ１・・・案内溝、Ｌ２・・・係止部。
【図１】
0004257667.tif 000002
【図２】
0004257667.tif 000003
【図３】
0004257667.tif 000004
【図４】
0004257667.tif 000005
【図５】
0004257667.tif 000006
【図６】
0004257667.tif 000007
【図７】
0004257667.tif 000008
【図８】
0004257667.tif 000009
【図９】
0004257667.tif 000010
【図１０】
0004257667.tif 000011
【図１１】
0004257667.tif 000012
【図１２】
0004257667.tif 000013
【図１３】
0004257667.tif 000014
【図１４】
0004257667.tif 000015
【図１５】
0004257667.tif 000016
【図１６】
0004257667.tif 000017
【図１７】
0004257667.tif 000018
【図１８】
0004257667.tif 000019
【図１９】
0004257667.tif 000020
【図２０】
0004257667.tif 000021
【図２１】
0004257667.tif 000022
【図２２】
0004257667.tif 000023
【図２３】
0004257667.tif 000024
【図２４】
0004257667.tif 000025
【図２５】
0004257667.tif 000026